(57)【要約】【課題】保護壁を設けた上で、ロックアームの解除操作に支障をきたすことがないコネクタを提供することを目的とする。【解決手段】雌ハウジング４０に上面４０Ａには、前後方向に沿って片持ち状のロックアーム５５が形成されている。ロックアーム５５は上面４０Ａとの間に撓み空間５４を保有するとともにその自由端側は操作部５８とされ、そこへの押圧操作によって両ハウジング１０、４０の係止を解除することが出来る。ロックアーム５５の外側には、ロックアーム５５に沿って保護壁６１が形成されており、撓み空間５４内への異物の進入を防止するようにしてある。また、この保護壁６１の後端側、すなわち操作部５８の側方には、広幅部６２Ａが設けられており、操作部５８を押圧操作する際の解除操作スペースが確保されている。従って、解除操作を円滑に行うことが出来る。【選択図】  図９
2005005101.tif 000002
【特許請求の範囲】
【請求項１】
相手側コネクタハウジングに対して嵌合可能とされたハウジング本体部と、前記ハウジング本体部の外面との間に撓み空間を保有する弾性変位可能な片持ち状をなすとともに前記相手側コネクタハウジングに設けられたロック受け部に対して係止可能とされたロックアームとを備えるとともに、このロックアームの自由端は操作端とされ、そこへの押圧操作により前記ロックアームと前記ロック受け部との係止を解除するようにしたコネクタであって、
前記コネクタ本体部の外面側には、前記ロックアームの幅方向外側に前記ロックアームに沿って伸びその後端位置が前記ロックアームの操作端とほぼ等しい位置か、或いはそれより突出して形成される一対の側壁部を有する保護部が形成されるとともに、この側壁部は前記ロックアームの基端側に設けられる基部と、前記ロックアームの操作端側に設けられるとともに前記基部の内面間の幅寸法より対向する内面間の間隔が広く形成された広幅部とから構成されることを特徴とするコネクタ。
【請求項２】
前記基部の内面が前記ロックアームの一端側から他端側にかけて真っ直ぐに伸びるように形成されるものにおいて、
前記広幅部は前記基部の内面の終端から前記側壁部の外面側に向けて拡開するような傾斜状をなす構成であることを特徴とする請求項１記載のコネクタ。
【発明の詳細な説明】
【０００１】
【発明の属する技術分野】
本発明は、コネクタに関する。
【０００２】
【従来の技術】
従来では、ロックアーム付きのコネクタが知られている（例えば、特許文献１）。具体的には、ハウジング本体の上面にハウジング本体の前端から後端に向けて延出し、前記上面との間に撓み空間を保有する片持ちのロックアームを備えてなる。このロックアームは両コネクタハウジングの嵌合動作と共に相手側ハウジングに係止することで両ハウジングを嵌合状態に保持する。一方、保持を解除する場合には、ロックアームの自由端側を押圧操作してロックアームを撓み空間内に弾性変位させてやればよい。
また、ロックアームの左右両側にはロックアームの長手方向に沿って伸びる保護壁が設けられているが、これは、ロックアームの保護及び撓み空間への電線及び異物の進入を防止するものである。
【０００３】
【特許文献１】
特開２０００−１８２７０８公報
【０００４】
【発明が解決しようとする課題】
しかしながら、コネクタ、ロックアームの小型化に伴い、保護壁間の寸法が狭くなってゆくとロックアームの解除操作を行う際に、作業者の指が保護壁に干渉してしまい、うまく解除操作を行うことができない虞があった。
本発明は上記のような事情に基づいて完成されたものであって、保護壁を設けた上で、ロックアームの解除操作に支障をきたすことがないコネクタを提供することを目的とする。
【０００５】
【課題を解決するための手段】
上記の目的を達成するための手段として、請求項１の発明は、相手側コネクタハウジングに対して嵌合可能とされたハウジング本体部と、前記ハウジング本体部の外面との間に撓み空間を保有する弾性変位可能な片持ち状をなすとともに前記相手側コネクタハウジングに設けられたロック受け部に対して係止可能とされたロックアームとを備えるとともに、このロックアームの自由端は操作端とされ、そこへの押圧操作により前記ロックアームと前記ロック受け部との係止を解除するようにしたコネクタであって、前記コネクタ本体部の外面側には、前記ロックアームの幅方向外側に前記ロックアームに沿って伸びその後端位置が前記ロックアームの操作端とほぼ等しい位置か、或いはそれより突出して形成される一対の側壁部を有する保護部が形成されるとともに、この側壁部は前記ロックアームの基端側に設けられる基部と、前記ロックアームの操作端側に設けられるとともに前記基部の内面間の幅寸法より対向する内面間の間隔が広く形成された広幅部とから構成されるところに特徴を有する。
【０００６】
請求項２の発明は、請求項１に記載のものにおいて、前記基部の内面が前記ロックアームの一端側から他端側にかけて真っ直ぐに伸びるように形成されるものにおいて、前記広幅部は前記基部の内面の終端から前記側壁部の外面側に向けて拡開するような傾斜状をなす構成であるところに特徴を有する。
【０００７】
【発明の作用及び効果】
＜請求項１の発明＞
撓み空間の側方が開放していると、そこから撓み空間内に異物が進入したり、あるいはハウジングから引き出された電線が誤って撓み空間内に進入する。請求項１の発明によれば、撓み空間の側方が側壁部の基部により塞がれており、撓み空間内へ電線及び異物の進入を規制することが出来る。また、ロックアームの操作部の側方には広幅部が位置しており、ロックアームの操作部を押圧操作する際の解除操作スペースが確保されている。そのため、コネクタの解除操作の際に作業者の指先が側壁部に干渉することもなく、解除操作を円滑に行うことが出来る。
【０００８】
＜請求項２の発明＞
請求項２の発明によれば、広幅部は傾斜状をなしその肉厚が先端側に向けて徐々に薄くなる構成である。従って、広幅部全体を薄肉化する場合と比較して、側壁部（広幅部）の強度低下を抑えることが出来るし、解除操作スペースを確保した上でロックアームとの隙間を最小限に設定できる。
【０００９】
【発明の実施の形態】
本発明の一実施形態を図１ないし図１１によって説明する。
本実施形態のコネクタは、互いに嵌合可能な雄ハウジング（本発明の相手側コネクタハウジングに相当する）１０と、雌ハウジング４０とからなり、両ハウジング１０、４０を嵌合させると、雌ハウジング４０に形成されたロックアーム５５が雄ハウジング１０に形成されたロック受け部１３に係止して両ハウジング１０、４０を嵌合状態に保持するとともに、雄ハウジング１０の雄端子金具３１が雌ハウジング４０に進入して雌端子金具７１と接続される。尚、以下の説明において、両ハウジング１０、４０の嵌合される面側を前側とする。
【００１０】
まず、雄ハウジング１０について説明する。雄ハウジング１０は、図１に示すように、雌ハウジング４０を前方から嵌合可能なフード部１１と、雄端子金具３１を収容可能な端子収容部２１とを前後に繋げた構成とされている。端子収容部２１は幅方向に長い略ブロック状に形成されるとともに、その内部には、後方から雄端子金具３１が挿入可能なキャビティ２２が設けられている。
【００１１】
ここで、雄端子金具３１について説明すると、雄端子金具３１は所定の展開形状に打ち抜かれた金属板に曲げ加工などを施すことにより形成されており、相手側の雌端子金具７１と導通接続可能なタブ部３２と、略箱形をなす本体部３３と、電線との接続のためのバレル部（図示せず）とから構成されている。タブ部３２は本体部３３の前縁から延設された前後に細長い板片を長さ方向に沿って密着曲げすることで形成されている。
【００１２】
キャビティ２２は端子収容部２１を前後方向に沿って貫通して形成されるとともに、上下２段、幅方向に複数室ずつ整列して配設されている。各キャビティ２２の下面からは、雄端子金具３１の本体部３３に対して弾性的に係止可能なランス２３が設けられている。ランス２３は前方へ片持ち状に延び、先端側が上下方向に撓み変位可能となっており、雄端子金具３１がランス２３上を通過することに伴って下方へ撓み変位し、通過後には復帰して雄端子金具３１の本体部３３に係止することで、タブ部３２をフード部１１内に突出させた状態で雄端子金具３１を抜止めする。
【００１３】
図３に示すように、フード部１１の天井面１１Ａの中央部は両ハウジング１０、４０の嵌合方向に沿ってロックアーム収容溝１２が凹み形成されている。このロックアーム収容溝１２は後述する雌ハウジング４０のロックアーム５５を収容可能な幅寸法をもって形成されるとともに、その後端はフード部１１の後面壁に達するとともに、前端側がフード部１１の前面に貫通して開放する構成となっている。このロックアーム収容溝１２の前端寄りの位置には、フード部１１の内側（下側）に突出するロック受け部１３が形成されている。ロック受け部１３は後面１３Ａ側がフード部１１の天井面１１Ａとほぼ直交するような切り立つ形状とされおり、ここに次述する雌ハウジング４０のロックアーム５５が係止するようになっている。一方、ロック受け部１３の前面１３Ｂ側はテーパ状に形成されている。
【００１４】
次に、雌ハウジング４０について図４ないし図７を参照して説明する。雌ハウジング４０は合成樹脂製であって、全体としては横幅の広い扁平なブロック状に形成されるとともに、内部には前述した雄ハウジング１０と同様にキャビティ４３が上下２段、幅方向に複数室ずつ整列して配設されている。各キャビティ４３は前後方向に沿って貫通しており、雌端子金具７１を後方より挿通して内部に収容することができる。この雌ハウジング４０の前壁４１には、雄ハウジング１０の雄端子金具３１のタブ部３２がキャビティ４３内に前方から進入するのを許容するタブ挿通孔４２が開口しており、その孔縁には全周にわたって略すり鉢状をなす誘導面４２Ａが形成されることで、タブ部３２の進入動作が円滑になされるようになっている。雌ハウジング４０のうち、ブロック状をなす部分が、本発明のハウジング本体部に相当する。
【００１５】
ここで、雌端子金具７１について説明すると、雌端子金具７１は所定の展開形状に打ち抜かれた金属板を折り曲げて形成したものであり、前部側には雄端子金具３１と接続可能な本体部７２を有するとともに、その後部側には電線Ｗとの接続のためのバレル部７３が配されている。本体部７２はほぼ箱形状をなし、その内部には撓み変形可能な弾性舌片（図示せず）が折り返しによって形成され、本体部７２内に進入した雄端子金具３１のタブ部３２と弾性的に接触可能である。一方、バレル部７３は前後に一対ずつのかしめ片７３Ａ、７３Ｂを対向状に備えており、このうち前側の両かしめ片７３Ａが電線Ｗの芯線にかしめ付けられるのに対して、後側の両かしめ片７３Ｂが電線Ｗの被覆にかしめ付けられる。
【００１６】
一方、各キャビティ４３の底面の前部側には、雌端子金具７１に対して一次係止するランス４４が設けられている。ランス４４は前方へ片持ち状に延び、先端側が上下方向に撓み変位可能となっており、雌端子金具７１がランス４４上を通過することに伴って下方へ撓み変位し、通過後には復帰して雌端子金具７１の本体部７２に係止することで、雌端子金具７１の抜け止めを行うように機能する。
【００１７】
また、雌ハウジング４０の下部側には、雌ハウジング４０の下面と左右の側面の三方へ開口（以下、リテーナ装着孔４５とする）しており、そこに、雌端子金具７１を前述したランスと共に二重に係止するためのリテーナ６５が取り付けられている。リテーナ６５について簡単に説明すると、雌ハウジング４０と同様に合成樹脂材で形成され、図７に示すように、リテーナ装着孔４５へ整合して嵌合される基板部６６と、この基板部６６の幅方向の両端部に張り出し形成された一対の側板６７とからなり、基板部６６には雌端子金具７１に対する抜止め部６６Ａが設けられている。リテーナ６５は、基板部６６の下面が雌ハウジング４０の下面より突出するとともに、雌端子金具７１のキャビティ４３内への挿入を許容する仮係止位置（図７参照）と、基板部６６の下面が雌ハウジング４０の下面とほぼ面一となる本係止位置（図８参照）との間で変位可能とされている。本係止位置においてリテーナ６５の各抜止め部６６Ａは対応するキャビティ４３内に下方から進入して、雌端子金具７１の本体部７２の後縁に係止するようになっている。
【００１８】
図５に示すように、雌ハウジング４０の上面４０Ａ側には、雄ハウジング１０に対する雌ハウジング４０の嵌合動作を案内するためのガイドリブ５１と、両ハウジング１０，４０を嵌合状態にロックするためのロックアーム５５がそれぞれ形成されている。まず、ガイドリブ５１は雌ハウジング４０の上面４０Ａの左右両側縁において雌ハウジング４０の全長に亘って立設されている。一方、雄ハウジング１０のフード部１１の天井面１１Ａの左右両縁部には、両ハウジング１０、４０の嵌合方向に沿ってガイドリブ５１を挿通可能な案内溝１４が形成されており、両ハウジング１０、４０の嵌合動作を案内するようになっている。ガイドリブ５１の後端側は厚肉化され張り出し部５１Ａが形成されている。張り出し部５１Ａは雌ハウジング４０の側面より外側に突出しており、両ハウジング１０、４０が嵌合した時には、雄ハウジング１０の開口縁１１Ｂに当接して、後述する保護壁６１の規制部６２と共にそれ以上の押し込み動作を規制するものである。また、雌ハウジング４０の上面４０Ａの後部には、張り出し部５１Ａと保護壁６１の後端同士を架設する連結リブ５２が形成されているが、これは、雌ハウジング４０の補強を目的とするものである。
【００１９】
ロックアーム５５は上面４０Ａの幅方向の中央部分において、前端部から後方へ向けて延設されるとともに、上面４０Ａとの間に撓み空間５４を保有する片持ち状をなす。より詳細には、ロックアーム５５は前後（前端が基端、後端が自由端）に延びる一対のアーム片５６を有し、その途中の位置で両アーム片５６を連結するようにしている。この連結している部分はアーム片５６よりも薄肉にしてあるとともに、その長さ方向中央部には上向きにロック突部５７が突出形成されている。ロック突部５７の上面のうち嵌合方向の前面側が曲率をもった傾斜面５７Ａとされ、後端側が切り立つ係止面５７Ｂとされている。図８に示すように、両ハウジング１０、４０が嵌合したときには、ロックアーム５５はロック受け部１３を通過することに伴って下方へ撓み変位し、通過後には復帰する。これにより、ロック突部５７の係止面５７Ｂの後方に、雄ハウジング１０のロック受け部１３の後面１３Ａが対面して位置することでフード部１１に対し雌ハウジング４０が抜止めされる。
【００２０】
また、両アーム片５６の自由端部の上面間も連結してあり、そこは、ロック解除のための操作部（本発明の操作端に相当する）５８となっている。操作部５８の幅寸法は両アーム片５６の外幅寸法より広く形成されており、アーム片５６との間がテーパによって接続されている。操作部５８の前端は、両ハウジング１０、４０の嵌合方向に関し保護壁６１の規制部６２、ガイドリブ５１の張り出し部５１Ａの前端とほぼ同じ位置にあるとともに、後端は連結リブ５２の後端よりやや前方に位置している。
【００２１】
また、図９に示すように、両ハウジング１０、４０が嵌合されても、操作部５８はフード部１１の外側に位置している。そのため、両ハウジング１０、４０が嵌合状態にあるときに、操作部５８による押圧操作が可能であり、これによって、ロックアーム５５を撓み空間５４内に弾性変位させることでロック受け部１３とロック突部５７のロックを解除するようになっている。尚、雌ハウジング４０の上面４０Ａは図７に示すように、その長さ方向の中央部において階段状に段差４０ａが設けてあり、後方へ行くに連れて低くなるようにしてある。つまり、ロックアーム５５の操作部５８側の撓み空間５４の高さが高くなり、これによってロック解除操作のための撓み代を確保するようにしている。また、操作部５８の上面後縁はほぼ全幅にわたってさらに一段高くしてあるが、これは、ロックの解除操作を行う際の突縁５９である。
【００２２】
雌ハウジング４０の上面４０Ａにおいて、ロックアーム５５の幅方向外側には両アーム片５６と並列して保護壁（本発明の側壁部に相当する）６１が立設されている。保護壁６１の前端はロックアーム５５の前端とほぼ同位置にあるとともに、保護壁６１の後端はロックアーム５５の操作部５８の後端よりやや後方に延出しており、ロックアーム５５の全長に亘って形成されている。保護壁６１の後端側は、ガイドリブ５１の張り出し部５１Ａと同様に厚肉化（以下、規制部６２とする）されており、両ハウジング１０、４０が嵌合したときには、フード部１１の開口縁１１Ｂに対して当接して、それ以上の嵌合動作を規制する構成となっている。
【００２３】
保護壁６１は、その高さ寸法が前端から後端寄りにかけては、アーム片５６の高さ寸法とほぼ同じ高さをもって形成されるとともに、幅方向については各アーム片５６に近接して配されており、撓み空間５４の側方を塞ぐ構成となっている。このような構成とするのは、撓み空間５４の側方が開放された構成であると、撓み空間５４内へ異物が進入してしまうし、雌ハウジング４０が単体の状態にあるときに、雌ハウジング４０の後端から引き出された電線Ｗが誤って撓み空間５４内に嵌まり込んでしまうことがある。従って、保護壁６１を設定することで撓み空間５４への電線Ｗの嵌まり込み、及び異物の進入を防止するようにしてある。
【００２４】
また、保護壁６１の規制部６２の高さ寸法は他の部位に比べて一段高くなっており、ロックアーム５５の操作部５８の突縁５９とほぼ同じ高さをもって形成されている。これは、両ハウジング１０、４０が嵌合状態にあるときに、ロックアーム５５の操作部５８が不用意に外力を受けてロック解除がなされないようにするものである。加えて、規制部６２の後端面６２Ｂは、上端側よりも下端側が後方に延出しており後ろ下がりの勾配をもって形成されている。このような構成とすることで、ロックアーム５５に近づく電線Ｗ、異物を雌ハウジング４０の後方へ退けロックアーム５５の操作部５８を保護するようになっている。
【００２５】
保護壁６１の規制部６２の後端は内面側から外面側に向けて拡開するように切り取られた傾斜状をなしており他の部分より対面する内面間の間隔が広く形成された広幅部６２Ａが形成されている。広幅部６２Ａの傾斜の始端（図５に示すａ部分）は、両ハウジング１０、４０の嵌合方向に関して、操作部５８の突縁５９の前端とほぼ整合するようになっている。このように、両規制部６２間の幅寸法を操作部５８の突縁５９近傍において広くとってやることで、両ハウジング１０、４０の解除操作、すなわち操作部５８の撓み空間５４に対する押圧操作を行う際の解除操作スペースを確保するようにしてある。尚、保護壁６１のうち、対向面間の間隔が広幅部６２Ａより狭く、一定幅に形成された領域部分６１Ａが本発明の基部に相当する。
【００２６】
一方、雄ハウジング１０のフード部１１の天井面１１Ａにおけるロックアーム収容溝１２の左右両側には、両ハウジング１０、４０の嵌合方向に沿って保護壁６１を挿通可能な保護壁挿通溝１５が形成されている。これにより、保護壁６１は上述したロックアーム５５の保護機能に加えて、ガイドリブ５１と共にフード部１１に対する雌ハウジング４０の嵌合動作を案内する機能も合わせ持つようになっている。尚、本実施形態では、本発明の保護部を保護壁６１のみによって構成している
【００２７】
また、嵌合状態にある両ハウジング１０、４０を離間させる場合には、前述したように操作部５８によってロックアーム５５とロック受け部１３の係止を解除した後、フード部１１より雌ハウジング４０を引き出す必要がある。この引き出し操作を行う際に、ロック突部５７は撓み空間５４側に押し込まれた状態にあるが、この時のロック突部５７の上縁（図１０のＦ部）とロック受け部１３の下縁（図１０の下縁）とが高さ方向で干渉した状態であると、うまく引き出し操作を行うことが出来ない。従って、次に説明する最も厳しい条件である場合であってもロック突部５７とロック受け部１３との間に隙間が確保されるような設定としておく必要がある。最も厳しい条件とは、雌ハウジング４０がフード部１１内で上動した状態である。すなわち、フード部１１の内壁と雌ハウジング４０との間には、雌ハウジング４０の差し込み動作を円滑に行うために、幾らかの隙間を設定せざるを得ない。そうすると、雌ハウジング４０が隙間の分だけ遊動し、図１１に示すように、雌ハウジング４０がフード部１１の天井面側に移動（上動）した場合に、ロック突部５７とロック受け部１３の隙間が最も狭くなる。
【００２８】
このような場合であっても、ロック突部５７とロック受け部１３との間の隙間を確保するためには、図１０に示すＣ寸法（Ａ寸法からＢ寸法を減じた寸法）が図３に示すＤ寸法より大きな値となるように、各部（保護壁挿通溝１５の深さ寸法、保護壁６１の高さ寸法、ロック受け部１３の高さ寸法等）を設定するとともに、雌ハウジング４０の上動規制を、保護壁挿通溝１５の底面と保護壁６１の上端面とを当接させることで行う構成とすればよい。そうすれば、最も厳しい条件（雌ハウジング４０が上動した状態）であっても、ロック突部５７とロック受け部１３との間には、Ｃ寸法とＤ寸法の差分の隙間が確保されることとなる。尚、Ａ寸法は上面４０Ａを基準とした保護壁６１の高さ寸法であり、Ｂ寸法はロックアーム５５が撓んだ状態にある時の上面４０Ａからロック突部５７の上縁までの高さ寸法であり、Ｄ寸法は保護壁挿通溝１５の底面からロック受け部１３の下縁までの高さ寸法である。
【００２９】
次に、本実施形態の作用効果について具体的に説明する。
両ハウジング１０、４０を嵌合させる場合には、まず、雌ハウジング４０を雄ハウジング１０に対して正対させる。この状態では、雌ハウジング４０のガイドリブ５１、保護壁６１及びロックアーム５５がそれぞれ雄ハウジング１０側の案内溝１４、保護壁挿通溝１５、ロックアーム収容溝１２にそれぞれ対面して位置する。そのため、雌ハウジング４０をフード部１１の開口縁１１Ｂに宛って内部に押し込んでゆくと、雌ハウジング４０がガイドリブ５１及び保護壁６１に案内されながらフード部１１内に差し込まれてゆく。
【００３０】
やがて、ロックアーム５５のロック突部５７が雄ハウジング１０のロック受け部１３に当接する。この状態から更に、雌ハウジング４０を押し込むと、ロックアーム５５がロック受け部１３の前面１３Ｂに案内されて撓み空間５４内に弾性変位するとともに、雌ハウジング４０はフード部１１へ進入してゆく。その後、ロックアーム５５のロック突部５７がフード部１１のロック受け部１３を通過すると、図８に示すように、ロックアーム５５が弾性復帰する。これにて、ロックアーム５５のロック突部５７がロック受け部１３に係止して、両ハウジング１０、４０が嵌合状態に保持される。この嵌合状態において、雄端子金具３１のタブ部３２が雌端子金具７１の本体部７２に進入して両端子金具３１、７１が導通接続される。また、この状態において、ロックアーム５５の操作部５８を含む雌ハウジング４０の後端部分は雄ハウジング１０のフード部１１内には進入せず突出した状態にある。
【００３１】
次に、両ハウジング１０、４０の保持を解除する操作について説明する。
保持解除は、雌ハウジング４０の操作部５８に対する押圧操作により行われる。すなわち、操作部５８の突縁５９を雌ハウジング４０の上面４０Ａ側に押し込んでやれば、ロックアーム５５が撓み空間５４内に弾性変位するため、ロック突部５７とロック受け部１３との係止が解かれる。この突縁５９の押し込み動作を行う際には、ロックアーム５５の側方に立設される保護壁６１が邪魔となるが、本実施形態によれば、保護壁６１の規制部６２には広幅部６２Ａが形成されており、両規制部６２の内壁間の幅寸法が操作部５８の突縁５９の近傍において広くとってある。
【００３２】
そのため、突縁５９の押し込み動作（操作部５８の押圧操作）を行う際の解除操作スペースが確保されるから、作業者の指先が保護壁６１に干渉することもなく、解除操作を円滑に行うことが出来る。また、広幅部６２Ａは傾斜状をなしその肉厚が先端側に向けて徐々に薄くなる構成である。従って、広幅部６２Ａ全体を薄肉化する場合と比較して、広幅部の強度低下を抑えることが出来るし、解除操作スペースを確保した上でロックアーム５５との隙間を最小限に設定できる。
【００３３】
両ハウジング１０、４０の保持が解かれたら、雌ハウジング４０の後端側を引っ張って雄ハウジング１０のフード部１１より引き出してやれば、雄端子金具３１のタブ部３２が雌端子金具７１の本体部７２より退避するため両端子金具３１、７１の接続が断たれる。
【００３４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３５】
（１）本実施形態によれば、広幅部６２Ａを傾斜によって形成し、後端側ほど対向面間が広くなる構成としたが、解除操作スペースが確保されればよく、例えば、ロックアーム５５に対してほぼ平行となるような構成としておき広幅部６２Ａの対向面間の間隔が一定となるものであってもよい。
【００３６】
（２）本実施形態によれば、保護部を保護壁６１のみによって形成したが、保護部の構成としては保護壁６１を備えたものであればよく、例えば、両保護壁６１に加えて保護壁６１の上端同士を架設する架設板を追加する構成とし、ロックアームの上面側を覆う構成であってもよい。
【図面の簡単な説明】
【図１】本発明の一実施形態における両ハウジングの嵌合前の状態を示す一部切り欠き断面図
【図２】雄ハウジングの平面図
【図３】雄ハウジングの側面図
【図４】雌ハウジングの正面図
【図５】雌ハウジングの平面図
【図６】雌ハウジングの側面図
【図７】雌ハウジングの断面図
【図８】両ハウジングの嵌合状態を表す断面図
【図９】両ハウジングの嵌合状態を表す平面図
【図１０】両ハウジングの嵌合解除動作を表す断面図
【図１１】雌ハウジングがフード部内で上下動する状態を表す断面図
【符号の説明】
１０…雄ハウジング（相手側ハウジング）
１３…ロック受け部
４０…雌ハウジング
５４…撓み空間
５５…ロックアーム
５８…操作部
６１…保護壁
６１Ａ…基部
６２Ａ…広幅部
【図１】
2005005101.tif 000003
【図２】
2005005101.tif 000004
【図３】
2005005101.tif 000005
【図４】
2005005101.tif 000006
【図５】
2005005101.tif 000007
【図６】
2005005101.tif 000008
【図７】
2005005101.tif 000009
【図８】
2005005101.tif 000010
【図９】
2005005101.tif 000011
【図１０】
2005005101.tif 000012
【図１１】
2005005101.tif 000013